(57)【要約】【課題】飼い主が長期間ペットを置いたまま留守にできるようにする。ペットにとっては、ふだんと同じように食事と水をとることができる。飼い主にとっては、飼い主がペットを家に置いたまま気兼ねなく泊まりがけで家を空けることができるようにする。【解決手段】数日程度の期間、設定した時間に設定した量の餌と水が必要量自動的に供給される装置とする。具体的には給餌・給水タイミングは、その希望時間を設定する事で、各設定タイミングになった時内臓のタイマーで制御系に伝え、その情報をもとにマイコン制御により給餌・給水操作の自動化を図る。餌の供給量は、餌貯蔵タンクの下端に装備された扉の開放時間制御により設定量が供給される。また給水量は、水貯蔵タンクの下端に装備された電磁弁の解放時間制御により設定量が供給される。【選択図】    図１
2005065674.tif 000002
【特許請求の範囲】
【請求項１】
数日程度の期間、設定した時間に設定した量の餌と水が必要量自動的に供給される装置とする。具体的には給餌・給水タイミングは、その希望時間を設定する事で、各設定タイミングになった時内臓のタイマーで制御系に伝え、その情報をもとにマイコン制御により給餌・給水操作の自動化を図る。餌の供給量は、餌貯蔵タンクの下端に装備された扉の開放時間制御により設定量が供給される。また給水量は、水貯蔵タンクの下端に装備された電磁弁の解放時間制御により設定量が供給される。実施形態は図１のごとく、餌と水の供給装置等を、一体化されたボックス状の容器に全て組み込んで、その装置をペット用自動食卓君とする。また、ペット用自動食卓君は操作パネル及び駆動制御装置を防滴性を備えたボックス内に装備しているため屋内だけでなく屋外でも利用できる。ペット用自動食卓君は各装置を組み込むためのボックス、餌貯蔵タンク及び餌貯蔵タンク扉と開閉装置、水貯蔵タンク及び電磁弁、餌供給容器、水供給容器、餌・水供給用スライドテーブル及び同駆動装置、タイマー、ボックス搬送用取手及び駆動制御装置と操作パネルで構成される。ボックスはボックスベースに脱着金具で固定し脱着式とすることで、中にこぼれた物を掃除しやすくする構造とする。また、装置全体の転倒防止が必要な場合は倒防止金具を装備する。餌貯蔵タンクの底部は餌が詰まらないような角度と出口寸法にする。ペットへの餌と水の供給は、あらかじめ餌と水を各貯蔵タンクヘ必要量入れておき、そこから下記手順で供給される。
供給設定時間の寸前に普段ボックス本体内に格納状態になっている餌供給容器及び水供給容器に、図２に示す要領でそれぞれ供給され、設定時間時になるとスライド装置で外部に送り出され、給餌状態が一定時間維持され、その後自動格納される。その後も設定された日時がくるたびに前述の操作が自動的に繰り返される仕組みである。また全体的に操作がわかりやすく、清潔を保てる構造である。
ペット用自動食卓君の外形寸法はペットの大きさに合わせ大・中・小の３種類を準備する。
【発明の詳細な説明】
【発明の詳細な説明】
【発明属する技術分野】
【０００１】本発明は、ペット用給餌機の分野に属する。
【背景技術】
【０００２】今日、この種のペット用給餌・給水は幾つか既に市販されているが、そのほとんどが垂れ流し式か２食分程度の装置の提供にとどまっている。
【発明が解決しようとする課題】
【０００３】飼い主が長期間ペットを置いたまま留守にできるようにする。
ペットにとっては、ふだんと同じように食事と水をとることができる。
飼い主にとっては、飼い主がペットを家に置いたまま気兼ねなく泊まりがけで家を空けることができるようにする。
【課題を解決するための手段】
【０００４】数日程度の期間、設定した時間に設定した量の餌と水が必要量自動的に供給される装置とする。具体的には給餌・給水タイミングは、その希望時間を設定する事で、各設定タイミングになった時内臓のタイマーで制御系に伝え、その情報をもとにマイコン制御により給餌・給水操作の自動化を図る。餌の供給量は、餌貯蔵タンクの下端に装備された扉の開放時間制御により設定量が供給される。また給水量は、水貯蔵タンクの下端に装備された電磁弁の解放時間制御により設定量が供給される。
【発明を実施するための最良の形態】
【０００５】実施形態は図１のごとく、餌と水の供給装置等を、一体化されたボックス状の容器に全て組み込んで、その装置をペット用自動食卓君とする。また、ペット用自動食卓君は操作パネル及び駆動制御装置を防滴性を備えたボックス内に装備しているため屋内だけでなく屋外でも利用できる。ペット用自動食卓君は各装置を組み込むためのボックス、餌貯蔵タンク及び餌貯蔵タンク扉と開閉装置、水貯蔵タンク及び電磁弁、餌供給容器、水供給容器、餌・水供給用スライドテーブル及び同駆動装置、タイマー、ボックス搬送用取手及び駆動制御装置と操作パネルで構成される。ボックスはボックスベースに脱着金具で固定し脱着式とすることで、中にこぼれた物を掃除しやすくする構造とする。また、装置全体の転倒防止が必要な場合は倒防止金具を装備する。餌貯蔵タンクの底部は餌が詰まらないような角度と出口寸法にする。ペットへの餌と水の供給は、あらかじめ餌と水を各貯蔵タンクへ必要量入れておき、そこから下記手順で供給される。
供給設定時間の寸前に普段ボックス本体内に格納状態になっている餌供給容器及び水供給容器に、図２に示す要領でそれぞれ供給され、設定時間時になるとスライド装置で外部に送り出され、給餌状態が一定時間維持され、その後自動格納される。その後も設定された日時がくるたびに前述の操作が自動的に繰り返される仕組みである。また全体的に操作がわかりやすく、清潔を保てる構造である。
ペット用自動食卓君の外形寸法はペットの大きさに合わせ大・中・小の３種類を準備する。
【実施例】
【０００６】操作パネルの構造はボックス内装備型とし、使用時は設定面が保護カバーによりペットが直接タッチできないよう考慮されてる。パネルには自動操作開始、解除及び停止、決定、上・下・左・右の各ボタン及び給餌量設定、給水量設定、自動操作の日程設定、自動供給時間の設定の各ボタンと餌・水の各貯蔵タンクが空になったときの表示を含めた各表示画面を備える、そのイメージは図５による。
本装置の自動操作設定フローは図３、自動操作フローは図４を参照ください。
自動操作設定は給餌量、給水量、自動操作の日程、自動供給時間のどれからでも設定できる。給餌、給水の量については容器画面表示の設定レベルを見ながら上下ボタンを操作して視覚的に量を設定する、また自動操作の日程設定については先ず月選定をするとその月のカレンダが自動表示される、次に初日選択をし決定すると同時に初日から１ヶ月分のカレンダーが自動表示される、決定ボタンを押すと初日設定される、設定が２日以上の場合は上・下・左・右の各ボタンで次の日を選択・決定を繰り返し最終日まで設定を繰り返す。設定期間は餌と水の貯蔵容量から、一週間、１０日間、２週間程度まで設定できる。自動供給時間については日に午前と午後の２回設定時間を設定できる、またそれぞれ供給なしも選択できる。その設定は午前、午後の各ボタンを押すと、○○時○○分の順に、左右ボタンでまず○○時の設定位置にして１〜２４時間中から希望時間を選択し決定ボタンを押して設定する。次に○○分の設定位置にして○○分も設定する。尚、分単位は３０分単位で設定できる。
【実施例】
【０００７】本装置の自動操作は、自動操作開始⇒待機⇒設定日時・時間経過⇒餌貯蔵タンク・水貯蔵タンクが空⇒餌貯蔵タンク・水貯蔵タンクが空ブザーＯＮ⇒自動操作一時停止、水貯蔵タンクが空でない場合⇒餌貯蔵タンク扉  開・水貯蔵タンク電磁弁開⇒容器満タンまたは設定開放時間経過⇒餌貯蔵タンク扉閉・水貯蔵タンク電磁弁閉⇒給餌・給水完了⇒テーブル使用状態へスライド⇒食事時間１時間経過⇒テーブル格納状態へスライド⇒２回目の待機状態へ⇒以降、１回目と全く同じ一連操作を設定回数まで自動操作を繰り返す仕組みである。
【図面の簡単な説明】
【図１】ペット用自動食卓君のイメージ
【図２】餌と水の供給装置断面のイメージ
【図３】自動操作設定フロー
【図４】自動操作フロー
【図５】自動食卓君操作パネルのイメージ
【図１】
2005065674.tif 000003
【図２】
2005065674.tif 000004
【図３】
2005065674.tif 000005
【図４】
2005065674.tif 000006
【図５】
2005065674.tif 000007